(57)【特許請求の範囲】
【請求項１】
金型内に投入した第一ゴブの上に、着色材を散布し、その上に第二ゴブを重ねてからプレス成形を行う色模様入りガラス製品の製造方法において、前記着色材が概略球状をなすものであり、複数の吸引孔を有するバキュームヘッドの吸引孔の経路を複数にし、吸着する着色材の色毎に適宜該経路を開閉し、バキュームヘッドの所望の吸引孔に所望の色の着色材を吸着させ、第一ゴブの上で吸引を解除して該着色材を散布することを特徴とする色模様入りガラス製品の製造方法
【請求項２】
請求項１のガラス製品の製造方法において、前記着色材がフリットであることを特徴とするガラス製品の製造方法
【請求項３】
請求項１又は２の方法で製造したガラス製品
【発明の詳細な説明】
【０００１】
【発明が属する技術分野】
本発明は、二つのゴブの間に生地ガラスの色とは異なる別の色のガラスフリットなどの着色材を加えることで、自動プレス成形装置によって色模様の入ったガラス製品を製造する方法に関するものである。
【０００２】
【従来の技術】
手作業で成形されるガラス製品においては、ガラスの内部に任意の分布や形状に色ガラスで模様を施す手法が一般的に行われている。これは具体的には、巻き取った生地ガラスの上に色ガラスを散布したり置いたりして、その上から新たに生地ガラスを追加して成形するものである。この方法は全て手作業で行われるので生産性が悪く、ガラス製品はきわめて高価なものとなる。
【０００３】
色模様付きのガラス製品を自動成形装置で製造する方法として、ダブルゴブに着色ガラスフリットなどの着色材をサンドイッチする方法が考案された。すなわち、図３に示すように、金型内３に投入した第一ゴブＧ１の上に着色材Ｃを散布し、その上に第二ゴブＧ２を重ねてからプレス成形を行う方法である。このような方法は例えば特開昭５８−９８３１号公報、特開平９−４０４２９号公報に開示されている。
【０００４】
特開平９−４０４２９号公報においては、着色材の供給はゴブの少し離れたところから散布する方法が示されている。しかしながら、この供給方法はでは、着色材の分布、すなわち最終製品での色模様の分布が千差万別となるばかりか、着色材どうしが重なることによって空気を巻き込んでしまい、泡の欠点が生じやすい。したがって、商品価値のある高い品質の製品を安定して製造することができないという欠点がある。
【０００５】
特開昭５８−９８３１号公報では着色材の散布状態を改善するためにバキュームヘッドを採用している。しかしながら、着色材の形状が従来の角のある立体形状であると、図１１のように吸引孔と着色材Ｃの間に隙間が生じて着色材Ｃを吸着しなかったり、図１２のように一つの吸引孔９に複数の着色材Ｃが吸着されることがある。特に後者の場合には着色材に対する吸引力が弱いので、成形機の振動や供給装置自体の振動によりゴブに到達する前に着色材がバキュームヘッドから落ちてしまう確率がきわめて大きい。これらの結果、色模様の分布は千差万別となり再現性がない。また、図１３に示すように、上述の着色材の形状は、着色材とゴブの間に空気が入りやすく、色模様の周囲に巻き込み泡が発生しやすいという問題もある。
【０００６】
また、従来方法で使用されるバキュームヘッド７は、図１４に示すように、吸引経路が１経路であったので、複数の色の着色材を使用する場合、所望の吸引孔に所望の色の着色材を吸着させることができず、複数の色模様の再現性は全く期待できなかった。
【０００７】
【発明が解決しようとする課題】
本発明は、二つのゴブの間に着色材を挟むことにより色模様の入ったガラス製品を自動プレス装置で製造する場合、その色模様の分布に高度の再現性を与える手段を提供するものである。
【０００８】
さらには、その色模様の周囲に入る空気の巻き込みによる泡の残留をなくし、美観上並びに強度的に優れたガラス製品を提供するものである。
【０００９】
【課題を解決するための手段】
本発明は、金型内に投入した第一ゴブの上に、着色材を散布し、その上に第二ゴブを重ねてからプレス成形を行う色模様入りガラス製品の製造方法において、前記着色材が概略球状をなすものであり、複数の吸引孔を有するバキュームヘッドの吸引孔の経路を複数にし、吸着する着色材の色毎に適宜該経路を開閉し、バキュームヘッドの所望の吸引孔に所望の色の着色材を吸着させ、第一ゴブの上で吸引を解除して該着色材を散布することを特徴とする色模様入りガラス製品の製造方法及び、この方法によって製造されたガラス製品である。
【００１０】
本発明においては、着色材Ｃが概略球状であるので、図９に示すように、一つの吸引孔９に一つの着色材Ｃが確実に吸着される。すなわち、バキュームヘッド７の全ての吸引孔９に着色材が確実に一つ一つ吸着されるので、第一ゴブ上に散布される着色材のパターンは常に同じとなり、同じ色模様のパターンを有するガラス製品を大量に製造できる。
【００１１】
バキュームヘッドの吸引孔の経路を複数にし、吸着する着色材の色毎に適宜これらの経路を開閉することで、所望の吸引孔に所望の色の着色材を吸着させることができる。したがって、複数の色を使用する場合でも、高い再現性を実現できる。
【００１２】
本発明において、着色材の形状は球形のみならず、ラグビーボール形のように、多少歪んだ形状であってもよい。完全な球形を有する着色材を得るのは困難であるし、多少歪んでいても、角がない形状であれば、図９のように確実に一つの吸引孔に一つの着色材が吸着されるからである。
【００１３】
着色材は、破砕、水砕などした角のある形状のものをカーボン法、流動焼成法などの周知の方法で、容易に角のない概略球状とすることができる。また、角のある着色材を直接バーナーで加熱し、その表面を溶融して角をとることによっても概略球状とすることができる。着色材はガラスフリット、色ガラスなどである。
【００１４】
【発明の実施の形態】
以下、実施例に関する図面に基づいて本発明を詳細に説明する。図１はガラス製品のプレス成形装置の概略図、図２は金型３及び第一ゴブＧ１の断面図、図３は金型３及び第一ゴブＧ１・第二ゴブＧ２の断面図、図４はバキュームヘッド７の下面図、図５は図４におけるＸＸ線断面図、図６は着色材Ｃ１を吸着した状態のバキュームヘッド７の下面図、図７は着色材Ｃ１・Ｃ２を散布した第一ゴブＧ１の平面図、図８はガラス製品１２の平面図、図９は着色材Ｃの吸着状態の説明図、図１０は第一ゴブＧ１上に散布された着色材Ｃの説明図である。
【００１５】
図１は本発明の色模様入りのガラス製品（皿）の製造方法を実施するプレス成形装置の概略図である。同図において、回転テーブル１には複数の金型ホルダー２が同心円上に配置され、各金型ホルダーには金型３が装着されている。回転テーブルは右回り（矢印方向）に間欠的に回転していく。Ａの位置では金型３内にデリバリー５から第一ゴブＧ１が供給される。金型３がＢの位置に来ると、図２に示すごとく、バキュームヘッド７から第一ゴブＧ１の上に概略球状の粒子で構成された着色材（ガラスフリット）が供給される。金型３がＣの位置に来ると、金型３内にデリバリー５から第二ゴブＧ２が供給される。金型３は更にＤの位置に回転する。このとき、金型３内のゴブの状態は図３のごとくなっている。Ｄ位置においてプランジャーヘッド８が下降し、ガラス製品が成形される。
【００１６】
バキュームヘッド７は、図５に示すように、Ａ経路１０、Ｂ経路１１の２つの吸引経路に分かれており、Ａ経路には吸引孔９ａが、Ｂ経路には吸引孔９ｂが連通している。例えば、Ｂ経路を閉じた状態でＡ経路のみを開き、緑色の着色材Ｃ１が入った容器でこれを吸着させると、図６に示すように、Ａ経路に連通する吸引孔９ａにのみ緑色の着色材Ｃ１が吸着される。その後、青色の着色材Ｃ２の入った容器で更にＢ経路を開いて吸着させると、吸引孔９ｂに緑色の着色材Ｃ２が吸着される。そして、バキュームヘッド７を第一ゴブＧ１上に移動して着色材を散布すると、図７に示すように、緑色の着色材Ｃ１と青色の着色材Ｃ２が所定のパターンで散布される。これに第二ゴブを重ねてプレス成形すると、図８に示すように、所定の位置に緑色の着色材Ｃ１と青色の着色材Ｃ２の水玉模様の入ったガラス製品１２（皿）が成形される。このように、バキュームヘッドの吸引孔の経路を複数にすると、複数の色を所定の位置に配色したガラス製品を高い再現性をもって製造することが可能となる。
【００１７】
【発明の効果】
本発明は、従来の製造方法では解決できなかった、ダブルゴブサンドウィッチ方式による色模様入り自動プレス成形製品において、色模様の位置が再現でき、かつ、空気の巻き込み泡のない製品、すなわち商品価値の高い製品を容易かつ安価に大量生産できる。
【図面の簡単な説明】
【図１】ガラス製品のプレス成形装置の概略図である。
【図２】金型３及び第一ゴブＧ１の断面図である。
【図３】金型３及び第一ゴブＧ１・第二ゴブＧ２の断面図である。
【図４】バキュームヘッド７の下面図である。
【図５】図４におけるＸＸ線断面図である。
【図６】着色材Ｃ１を吸着した状態のバキュームヘッド７の下面図である。
【図７】着色材Ｃ１・Ｃ２を散布した第一ゴブＧ１の平面図である。
【図８】ガラス製品１２の平面図である。
【図９】着色材Ｃの吸着状態の説明図である。
【図１０】第一ゴブＧ１上に散布された着色材Ｃの説明図である。
【図１１】着色材Ｃの吸着状態の説明図である。
【図１２】着色材Ｃの吸着状態の説明図である。
【図１３】第一ゴブＧ１上に散布された着色材Ｃの説明図である。
【図１４】バキュームヘッド７の断面図である。
【符号の説明】
１  回転テーブル
２  金型ホルダー
３  金型
５  デリバリー
６  デリバリー
７  バキュームヘッド
８  プランジャーヘッド
９  吸引孔
１０  Ａ経路
１１  Ｂ経路
１２  ガラス製品
Ｃ  着色材
Ｇ１  第一ゴブ
Ｇ２  第二ゴブ
【図１】
0003600162.tif 000002
【図２】
0003600162.tif 000003
【図３】
0003600162.tif 000004
【図４】
0003600162.tif 000005
【図５】
0003600162.tif 000006
【図６】
0003600162.tif 000007
【図７】
0003600162.tif 000008
【図８】
0003600162.tif 000009
【図９】
0003600162.tif 000010
【図１０】
0003600162.tif 000011
【図１１】
0003600162.tif 000012
【図１２】
0003600162.tif 000013
【図１３】
0003600162.tif 000014
【図１４】
0003600162.tif 000015